(57)【要約】      （修正有）【課題】リラックスした状態で、全身の経穴をマッサージすることができるマッサージ装置を提供する。【解決手段】本体１０は、略弓状を呈し、内側と外側とを有する外周面と、中央部と、両端と、該両端の内の一端に形成される押圧端部１１と、もう一端に形成されるマッサージ端部１２とを有する。さらに、前記本体の外側に設けられる少なくともつの当接部１３１と、前記本体の外側における前記本体の両端の近傍に設けられる少なくともつの押圧部１５と、前記本体の外周面に設けられる少なくともつのマッサージロッド１４とを備えてマッサージ装置を構成する。【選択図】図１
0003167185.tif 000002
【実用新案登録請求の範囲】
【請求項１】
略弓状を呈し、内側と外側とを有する外周面と、中央部と、両端と、該両端の内の一端に形成される押圧端部と、もう一端に形成されるマッサージ端部とを有する本体と、
前記本体の外側に設けられる少なくとも１つの当接部と、
前記本体の外側における前記本体の両端の近傍に設けられる少なくとも１つの押圧部と、前記本体の外周面に設けられる少なくとも１つのマッサージロッドとを有することを特徴とするマッサージ装置。
【請求項２】
前記マッサージ装置は、前記本体中央部の内側に間隔を置いて設けられる２つのマッサージロッドと、前記本体の内側に設けられる少なくとも１つのマッサージロッドと、前記本体の外側における前記本体の押圧端部の近傍に設けられる少なくとも１つのマッサージロッドとを有し、
各マッサージロッドには球状のロッド端部が形成されることを特徴とする請求項１に記載のマッサージ装置。
【請求項３】
前記本体中央部の内側に間隔を置いて設けられる２つの当接部を有することを特徴とする請求項１に記載のマッサージ装置。
【請求項４】
前記当接部は、円弧状を呈するものであることを特徴とする請求項２に記載のマッサージ装置。
【請求項５】
前記本体の外側における前記本体のマッサージ端部の近傍に設けられる２つの押圧部を有することを特徴とする請求項１に記載のマッサージ装置。
【考案の詳細な説明】
【技術分野】
【０００１】
本考案は、特に健康維持のために、体の部位にマッサージを行うことができるマッサージ装置に関するものである。
【背景技術】
【０００２】
仕事などのストレスにより、体が長時間緊張し続き、疲労がたまるのみならず、疲労に伴う例えば疼痛など症状が発生し、健康を害する。
【０００３】
図８に示すように、疲労回復及び健康維持のための従来のマッサージ装置は、フック状の本体９０と、該本体９０の両端に夫々形成される端部９１とを有する。該従来のマッサジ装置を握持し、前記端部９１で例えば特定な経穴（つぼ）をマッサージすることができる。
【考案の概要】
【考案が解決しようとする課題】
【０００４】
しかしながら、従来のマッサージ装置は、主に手操作で力を加えることにより、経穴をマッサージするものである。使用時、手と腕の筋肉、並びに手または腕と連動する胴体部の筋肉が緊張し、リラックスすることができないだけでなく、従来のマッサージ装置を長時間に使用すると、前記手操作が却って手と腕の痛みの原因となるおそれがあった。
【０００５】
そこで、案出されたのが本考案であって、使用時、体の重量を利用し、特定の姿勢を取ることにより、リラックスした状態で、全身の経穴をマッサージすることができるマッサージ装置を提供することを目的としている。
【課題を解決するための手段】
【０００６】
本願の請求項１の考案は、略弓状を呈し、内側と外側とを有する外周面と、中央部と、両端と、該両端の内の一端に形成される押圧端部と、もう一端に形成されるマッサージ端部とを有する本体と、
前記本体の外側に設けられる少なくとも１つの当接部と、
前記本体の外側における前記本体の両端の近傍に設けられる少なくとも１つの押圧部と、前記本体の外周面に設けられる少なくとも１つのマッサージロッドとを有することを特徴とするマッサージ装置、を提供する。
【０００７】
本願の請求項２の考案は、前記マッサージ装置は、前記本体中央部の内側に間隔を置いて設けられる２つのマッサージロッドと、前記本体の内側に設けられる少なくとも１つのマッサージロッドと、前記本体の外側における前記本体の押圧端部の近傍に設けられる少なくとも１つのマッサージロッドとを有し、
各マッサージロッドには球状のロッド端部が形成されることを特徴とする請求項１に記載のマッサージ装置、を提供する。
【０００８】
本願の請求項３の考案は、前記本体中央部の内側に間隔を置いて設けられる２つの当接部を有することを特徴とする請求項１に記載のマッサージ装置、を提供する。
【０００９】
本願の請求項４の考案は、前記当接部は、円弧状を呈するものであることを特徴とする請求項２に記載のマッサージ装置、を提供する。
【００１０】
本願の請求項５の考案は、前記本体の外側における前記本体のマッサージ端部の近傍に設
けられる２つの押圧部を有することを特徴とする請求項１に記載のマッサージ装置、を提供する。
【考案の効果】
【００１１】
本考案は上記の課題を解決するものであり、
【図面の簡単な説明】
【００１２】
【図１】本考案に係るマッサージ装置の斜視図である。
【図２】本考案に係るマッサージ装置の側面図である。
【図３】本考案に係るマッサージ装置のマッサージロッドを示す部分断面図である。
【図４】本考案に係るマッサージ装置の使用状態を示す斜視図である。
【図５】本考案に係るマッサージ装置の使用状態を示す斜視図である。
【図６】本考案に係るマッサージ装置の使用状態を示す斜視図である。
【図７】本考案に係るマッサージ装置の使用状態を示す斜視図である。
【図８】従来のマッサージ装置の斜視図である。
【考案を実施するための形態】
【００１３】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１４】
図１及び図２に示すように、本考案は、本体１０と、少なくとも１つの当接部１３１と、少なくとも１つの押圧部１５と、少なくとも１つのマッサージロッド１４とを有するマッサージ装置を提供するものである。
【００１５】
前記本体１０は、略弓状を呈し、内側と外側とを有する外周面と、中央部と、両端と、該両端の内の一端に形成される押圧端部１１と、もう一端に形成されるマッサージ端部１２とを有する。前記本体１０の内側は、例えれば、和弓の弦側である。前記マッサージ端部１２は、特に経穴のマッサージに好適な形状を有するものである。前記本体１０中央部の内側に、円弧状を呈する２つの当接部１３１が間隔を置いて設けられる。また、前記本体１０の外側における前記本体１０の両端の近傍には、半球状を呈する２つの押圧部１５が設けられる。また、前記本体１０の外周面における前記両端の近傍、即ち、前記押圧端部１１及び前記マッサージ端部１２の近傍に、複数の滑り止め突起１６が設けられることが好ましい。
【００１６】
本考案に係るマッサージ装置は、少なくとも１つのマッサージロッド１４を有するものであり、即ち、複数のマッサージロッド１４を有してもよい。本実施例におけるマッサージ装置は、前記本体１０中央部の内側に間隔を置いて設けられる２つのマッサージロッド１４と、前記本体１０の内側に設けられる少なくとも１つのマッサージロッド１４と、前記本体１０の外側における前記本体１０の押圧端部１１の近傍に設けられる少なくとも１つのマッサージロッド１４とを有する。また、各マッサージロッド１４には球状のロッド端部１４１が形成される。
【００１７】
図３に示すように、本実施例において、前記本体１０中央部の内側に間隔を置いて設けられる各マッサージロッド１４は、図１及び図２に示すような本体１０から延出し、内部に収容空間１４２が形成され、先端と、該先端に形成される開口とを有するパイプであり、該収容空間１４２にスプリング１４３が挿設され、さらに該スプリング１４３を該収容空間１４２に保持させるための保持部材１４５が先端の開口に螺入される。
【００１８】
前記ロッド端部１４１は、内部に取り付けられる支軸１４１１を有し、該支軸１４１１は
、連結部材１４４を介して、前記スプリング１４３を付勢させることができるように、前記スプリング１４３に結合される。この構成によれば、該ロッド端部１４１は該マッサージロッド１４に対して伸縮することができる。例えばマッサージによる圧力が該ロッド端部１４１にかかると、該ロッド端部１４１が退縮し、スプリング１４３を付勢させることができる。
【００１９】
図４に示すように、本体１０の中央部の内側に間隔を置いて設けられる２つの当接部１３１を壁などに当接させ、頸部を前記本体１０中央部の内側に間隔を置いて設けられる２つのマッサージロッド１４に当てて、体重を任せるように体を本体１０へ傾けると、手操作などにより力を加えなくても、簡単に頚部の経穴をマッサージし、体をリラックスさせることができる。
【００２０】
図５に示すように、
前記本体１０の内側には、該押圧部１５と対向の、即ち、前記本体１０の内側におけるマッサージ端部１２の近傍に位置するマッサージロッド１４と、前記本体１０の内側における押圧端部１１の近傍に位置するマッサージロッド１４とが設けられる。使用時、前記本体１０の内側における押圧端部１１の近傍に位置するマッサージロッド１４を肩部に係止させてから、足をマッサージ端部１２の近傍に位置するマッサージロッド１４にかかれば、足の重量により、簡単に肩部にマッサージを行うことができる。
【００２１】
図６に示すように、前記マッサージ装置の押圧部１５を地面、床、又は壁に当接させ、マッサージを行おうとする体の部位を該押圧部１５と対向のマッサージロッド１４のロッド端部１４１に当て、体重でマッサージ効果を得ることができる。
【００２２】
図７に示すように、体を横にしてから、前記マッサージ装置の本体１０のマッサージ端部１２を腹部に当て、手で該本体１０の位置をマッサージしようとする部位に移動させることにより、腹部及び背部にマッサージ効果を与えることができる。
【産業上の利用可能性】
【００２３】
本考案は上記の構成を有するので、疲労回復及び健康維持のために、リラックスした状態で、例えば経穴など体の部位にマッサージを行うことができる。
【符号の説明】
【００２４】
１０  本体
１１  押圧端部
１２  マッサージ端部
１３１  当接部
１４  マッサージロッド
１４１  ロッド端部
１５  押圧部
１６  滑り止め突起
【図１】
0003167185.tif 000003
【図２】
0003167185.tif 000004
【図３】
0003167185.tif 000005
【図４】
0003167185.tif 000006
【図５】
0003167185.tif 000007
【図６】
0003167185.tif 000008
【図７】
0003167185.tif 000009
【図８】
0003167185.tif 000010